(57)【要約】【課題】外部装置を接続するためにその接続部を覆う蓋部が開かれた際に、その外部装置を利用する機能に関する制御を実行できるようにする。【解決手段】中央制御部１１は、メモリカード、イヤホン、外部モニタ・スピーカなどの外部装置を接続するための接続部２４を覆う蓋部２６が開かれことが開閉検出部２７によって検出された際に、その外部装置を利用する機能（例えば、音楽再生機能、テレビ機能、データ通信機能など）に関する制御として、その接続部２４に応じた機能を示す機能識別情報（機能名）をメニュー表示させて報知する。【選択図】  図２
2010093496.tif 000002
【特許請求の範囲】
【請求項１】
外部装置を接続するための接続部と、その接続部を覆う蓋部とを備える端末装置であって、
前記蓋部の開閉を検出する開閉出手段と、
この開閉検出手段によって蓋部が開かれたことが検出された場合に、その蓋部が覆っていた前記接続部に応じた機能を示す機能識別情報を報知する報知手段と、
を具備したことを特徴とする端末装置。
【請求項２】
前記接続部に対する外部装置の接続を検出する接続検出手段と、
この接続検出手段によって接続部に外部装置が接続されたことが検出された場合に、前記報知手段によって報知された機能識別情報が示す機能を起動する起動手段と、
を更に備える、ようにしたことを特徴とする請求項１記載の端末装置。
【請求項３】
前記報知手段によって複数の機能識別情報が報知された場合に、報知された複数の機能識別情報の中から何れかの機能識別情報を特定する特定手段を更に備え、
前記起動手段は、前記接続検出手段によって接続部に外部装置が接続されたことが検出された場合に、前記特定手段によって特定された機能識別情報が示す機能を起動する、
ようにしたことを特徴とする請求項２記載の端末装置。
【請求項４】
前記特定手段は、前記報知された複数の機能識別情報の中からユーザ操作によって何れかの機能識別情報を特定する、
ようにしたことを特徴とする請求項３記載の端末装置。
【請求項５】
前記接続部に接続された外部装置の種類を判別する外部装置判別手段を更に備え、
前記特定手段は、前記報知された複数の機能識別情報の中から前記外部装置判別手段の判別結果に基づいて何れかの機能識別情報を特定する、
ようにしたことを特徴とする請求項３記載の端末装置。
【請求項６】
前記蓋部は、複数の接続部を覆う蓋部であって、この複数の接続部のうち、どの接続部に外部装置が接続されたかを判別する接続部判別手段を更に備え、
前記特定手段は、前記報知された複数の機能識別情報の中から前記接続部判別手段の判別結果に基づいて何れかの機能識別情報を特定する、
ようにしたことを特徴とする請求項３記載の端末装置。
【請求項７】
前記接続部に対する外部装置の接続を検出する接続検出手段と、
前記報知された機能識別情報が示す機能が起動されたのち、前記接続検出手段によって当該外部装置の接続が外されたことが検出された場合に、前記起動された機能を終了する機能終了手段を更に備える、
ようにしたことを特徴とする請求項１記載の端末装置。
【請求項８】
前記報知手段によって機能識別情報が報知されている状態で、前記開閉出手段によって蓋部が閉じられたことが検出された場合に、前記機能識別情報の報知を終了する報知終了手段を更に備える、
ようにしたことを特徴とする請求項１記載の端末装置。
【請求項９】
外部装置を接続するための接続部と、その接続部を覆う蓋部とを備える端末装置であって、
前記蓋部の開閉を検出する開閉検出手段と、
この開閉検出手段によって蓋部が開かれたことが検出された場合に、その蓋部が覆っていた接続部に応じた機能を起動する起動手段と、
を具備したことを特徴とする端末装置。
【請求項１０】
前記開閉検出手段によって蓋部が開かれたことが検出された場合に、その蓋部が覆っていた接続部に応じた機能が単数か複数かを判別する機能数判別手段を更に備え、
前記起動手段は、前記機能数判別手段によって機能が単数であると判別された場合に、その機能を起動する、
ようにしたことを特徴とする請求項９記載の端末装置。
【請求項１１】
前記機能数判別手段によって機能が複数であると判別された場合に、それらの機能を示す機能識別情報を報知する報知手段を更に備える、
ようにしたことを特徴とする請求項１０記載の端末装置。
【請求項１２】
前記接続部に対する外部装置の接続を検出する接続検出手段と、
前記起動手段によって機能が起動されている状態で、前記接続検出手段によって接続部に外部装置が接続されたことが検出された場合に、その機能の動作を開始する動作開始手段と、
を更に備える、ようにしたことを特徴とする請求項９記載の端末装置。
【請求項１３】
前記機能はコンテンツを再生する再生機能であって、前記動作開始手段は、コンテンツの再生を開始する、
ようにしたことを特徴とする請求項１２記載の端末装置。
【請求項１４】
前記接続部に対する外部装置の接続を検出する接続検出手段と、
前記起動手段によって起動された機能が動作している状態で、前記接続検出手段によって外部装置の接続が外されたことが検出された場合に、この機能の動作を停止する動作停止手段を更に備える、
ようにしたことを特徴とする請求項９記載の端末装置。
【請求項１５】
前記起動手段によって機能が起動されたのち、前記開閉検出手段によって蓋部が閉じられたことが検出された場合に、起動された機能を終了する機能終了手段を更に備える、
ようにしたことを特徴とする請求項９記載の端末装置。
【請求項１６】
コンピュータに対して、
外部装置を接続するための接続部を覆う蓋部の開閉を検出する機能と、
前記蓋部が開かれたことが検出された場合に、その蓋部が覆っていた前記接続部に応じた機能を示す機能識別情報を報知する機能と、
を実現させるためのプログラム。
【請求項１７】
コンピュータに対して、
外部装置を接続するための接続部を覆う蓋部の開閉を検出する機能と、
前記蓋部が開かれたことが検出された場合に、その蓋部が覆っていた接続部に応じた機能を起動する機能と、
を実現させるためのプログラム。
【発明の詳細な説明】
【技術分野】
【０００１】
この発明は、外部装置を接続するための接続部と、その接続部を覆う蓋部とを備える端末装置及びプログラムに関する。
【背景技術】
【０００２】
一般に、携帯電話などの端末装置には、イヤホン、通信ケーブル、メモリカードなどの外部装置を接続するための接続部と、その接続部を保護するためにそれを覆う蓋部が設けられている。このような端末装置としては、従来、上述のような接続部に外部装置が接続されたことを条件に、所定の機能を起動するようにした技術が知られている。例えば、外部装置としてヘッドホンが接続された際に、音楽再生機能を起動するようにした携帯電話が知られている（特許文献１参照）。
【特許文献１】特開２００１−２４５０２６号公報
【発明の開示】
【発明が解決しようとする課題】
【０００３】
しかしながら、上述したように外部機器の接続に応じて所定の機能を起動する先行技術にあっては、外部装置を携帯電話に接続する際に、どのような機能を利用可能であるかは、実際に外部装置を接続してみなければ分からない。また、外部装置を接続してから機能が実際に利用可能な状態となるまでには、その機能の初期設定処理などを行うようにしているが、このような初期設定処理、例えば、音楽再生機能では、各曲のタイトル読み出し、曲リスト作成、前回再生停止位置読み出し、音量設定値読み出し、…などの処理に時間がかかると、それだけ待ち時間が長くなる。
【０００４】
この発明の課題は、外部装置を接続するためにその接続部を覆う蓋部が開かれた際に、その外部装置を利用する機能に関する制御を実行できるようにすることである。
【課題を解決するための手段】
【０００５】
上述した課題を解決するために請求項１記載の発明は、外部装置を接続するための接続部と、その接続部を覆う蓋部とを備える端末装置であって、前記蓋部の開閉を検出する開閉出手段と、この開閉検出手段によって蓋部が開かれたことが検出された場合に、その蓋部が覆っていた前記接続部に応じた機能を示す機能識別情報を報知する報知手段と、を具備したことを特徴とする。
【０００６】
請求項１に従属する発明として、前記接続部に対する外部装置の接続を検出する接続検出手段と、この接続検出手段によって接続部に外部装置が接続されたことが検出された場合に、前記報知手段によって報知された機能識別情報が示す機能を起動する起動手段と、を更に備える、ようにしたことを特徴とする請求項２記載の発明であってもよい。
【０００７】
請求項１に従属する発明として、前記報知手段によって複数の機能識別情報が報知された場合に、報知された複数の機能識別情報の中から何れかの機能識別情報を特定する特定手段を更に備え、前記起動手段は、前記接続検出手段によって接続部に外部装置が接続されたことが検出された場合に、前記特定手段によって特定された機能識別情報が示す機能を起動する、ようにしたことを特徴とする請求項３記載の発明であってもよい。
【０００８】
請求項３に従属する発明として、前記特定手段は、前記報知された複数の機能識別情報の中からユーザ操作によって何れかの機能識別情報を特定する、ようにしたことを特徴とする請求項４記載の発明であってもよい。
【０００９】
請求項３に従属する発明として、前記接続部に接続された外部装置の種類を判別する外部装置判別手段を更に備え、前記特定手段は、前記報知された複数の機能識別情報の中から前記外部装置判別手段の判別結果に基づいて何れかの機能識別情報を特定する、ようにしたことを特徴とする請求項５記載の発明であってもよい。
【００１０】
請求項３に従属する発明として、前記蓋部は、複数の接続部を覆う蓋部であって、この複数の接続部のうち、どの接続部に外部装置が接続されたかを判別する接続部判別手段を更に備え、前記特定手段は、前記報知された複数の機能識別情報の中から前記接続部判別手段の判別結果に基づいて何れかの機能識別情報を特定する、ようにしたことを特徴とする請求項６記載の発明であってもよい。
【００１１】
請求項１に従属する発明として、前記接続部に対する外部装置の接続を検出する接続検出手段と、前記報知された機能識別情報が示す機能が起動されたのち、前記接続検出手段によって当該外部装置の接続が外されたことが検出された場合に、前記起動された機能を終了する機能終了手段を更に備える、ようにしたことを特徴とする請求項７記載の発明であってもよい。
【００１２】
請求項１に従属する発明として、前記報知手段によって機能識別情報が報知されている状態で、前記開閉出手段によって蓋部が閉じられたことが検出された場合に、前記機能識別情報の報知を終了する報知終了手段を更に備える、ようにしたことを特徴とする請求項８記載の発明であってもよい。
【００１３】
また、上述した課題を解決するために請求項９記載の発明は、外部装置を接続するための接続部と、その接続部を覆う蓋部とを備える端末装置であって、前記蓋部の開閉を検出する開閉検出手段と、この開閉検出手段によって蓋部が開かれたことが検出された場合に、その蓋部が覆っていた接続部に応じた機能を起動する起動手段と、を具備したことを特徴とする。
【００１４】
請求項９に従属する発明として、前記開閉検出手段によって蓋部が開かれたことが検出された場合に、その蓋部が覆っていた接続部に応じた機能が単数か複数かを判別する機能数判別手段を更に備え、前記起動手段は、前記機能数判別手段によって機能が単数であると判別された場合に、その機能を起動する、ようにしたことを特徴とする請求項１０記載の発明であってもよい。
【００１５】
請求項１０に従属する発明として、前記機能数判別手段によって機能が複数であると判別された場合に、それらの機能を示す機能識別情報を報知する報知手段を更に備える、ようにしたことを特徴とする請求項１１記載の発明であってもよい。
【００１６】
請求項９に従属する発明として、前記接続部に対する外部装置の接続を検出する接続検出手段と、前記起動手段によって機能が起動されている状態で、前記接続検出手段によって接続部に外部装置が接続されたことが検出された場合に、その機能の動作を開始する動作開始手段と、を更に備える、ようにしたことを特徴とする請求項１２記載の発明であってもよい。
【００１７】
請求項１２に従属する発明として、前記機能はコンテンツを再生する再生機能であって、前記動作開始手段は、コンテンツの再生を開始する、ようにしたことを特徴とする請求項１３記載の発明であってもよい。
【００１８】
請求項９に従属する発明として、前記接続部に対する外部装置の接続を検出する接続検出手段と、前記起動手段によって起動された機能が動作している状態で、前記接続検出手段によって外部装置の接続が外されたことが検出された場合に、この機能の動作を停止する動作停止手段を更に備える、ようにしたことを特徴とする請求項１４記載の発明であってもよい。
【００１９】
請求項９に従属する発明として、前記起動手段によって機能が起動されたのち、前記開閉検出手段によって蓋部が閉じられたことが検出された場合に、起動された機能を終了する機能終了手段を更に備える、ようにしたことを特徴とする請求項１５記載の発明であってもよい。
【００２０】
また、上述した課題を解決するために請求項１６記載の発明は、コンピュータに対して、外部装置を接続するための接続部を覆う蓋部の開閉を検出する機能と、前記蓋部が開かれたことが検出された場合に、その蓋部が覆っていた前記接続部に応じた機能を示す機能識別情報を報知する機能と、を実現させるためのプログラムを特徴とする。
【００２１】
また、上述した課題を解決するために請求項１７記載の発明は、コンピュータに対して、外部装置を接続するための接続部を覆う蓋部の開閉を検出する機能と、前記蓋部が開かれたことが検出された場合に、その蓋部が覆っていた接続部に応じた機能を起動する機能と、を実現させるためのプログラムを特徴とする。
【発明の効果】
【００２２】
この発明によれば、外部装置を接続するためにその接続部を覆う蓋部が開かれた際に、その外部装置を利用する機能に関する制御を適切に実行することによって、利便性を大幅に向上させることができる。
【発明を実施するための最良の形態】
【００２３】
（実施形態１）
以下、図１〜図８を参照して本発明の第１実施形態を説明する。
この実施形態は、端末装置として携帯電話機に適用した場合を例示したもので、図１は、この携帯電話機が利用可能な通信ネットワークシステムを示したブロック図である。
携帯電話機１は、通話機能、電子メール機能、インターネット接続機能（Ｗｅｂページアクセス機能）のほか、音楽再生機能、動画再生機能、テレビ機能、ラジオ機能などを備えている。なお、音楽再生機能は、音楽プレーヤを構成するもので、音楽コンテンツを内部スピーカ、外部スピーカから出力させる機能である。また、動画再生機能は、ビデオプレーヤを構成するもので、動画コンテンツを自己の端末画面、外部モニタ、内部スピーカ、外部スピーカから出力させる機能である。また、テレビ機能、ラジオ機能は、デジタル放送を受信し、自己の端末画面、外部モニタ、内部スピーカ、外部スピーカから出力させる機能である。
【００２４】
携帯電話機１は、最寄りの基地局２Ａ、交換機２Ｂから無線通信網（移動体通信網）２に接続されると、この無線通信網２を介して他の携帯電話機１との間で通話可能状態となる。また、携帯電話機１は、無線通信網２を介してインターネット３に接続されると、インターネット３、無線通信網２を介して任意のＷｅｂサイトをアクセスしてＷｅｂページの閲覧が可能となり、また、コンテンツ提供装置４から音楽、映画などのコンテンツのダウンロードが可能となる。また、携帯電話機１は、テレビ局・ラジオ局５から送信アンテナ６を介して発信された地上波デジタル放送を受信して、その放送内容を出力したり、記録したりする。
【００２５】
携帯電話機１には、外部装置として、例えば、メモリカード７ａ、イヤホン７ｂ、外部モニタ・スピーカ７ｃ、パーソナルコンピュータ（ＰＣ）７ｄが接続可能な接続部（図１では図示省略）が設けられている。充電台８は、例えば、ＡＣ電源に接続された充電機能及びデータ通信機能を備えたクレードルで、携帯電話機１が設置（接続）された際に、携帯電話機１側の二次電池に対して充電を行ったり、携帯電話機１との間でデータ通信を行ったりする。
【００２６】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置、メモリなどを有している。記憶部１３には、プログラム記憶部Ｍ１、各種情報一時記憶部Ｍ２、機能情報記憶部Ｍ３などが設けられている。このプログラム記憶部Ｍ１は、図７及び図８に示す動作手順に応じて本実施形態を実現するためのプログラムや各種のアプリケーションなどが記憶されていると共に、それに必要な各種の情報が記憶されている。各種情報一時記憶部Ｍ２は、フラグ情報、タイマ情報、表示部に表示させるための画面情報など、この携帯電話機１が動作するために必要な各種の情報を一時的に記憶するワーク領域である。なお、機能情報記憶部Ｍ３については、後で詳細に説明するものとする。
【００２７】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナから発信出力させる。
【００２８】
放送受信部１６は、テレビ放送受信部とラジオ放送受信部とを有し、それらを個別に起動可能なもので、通信端末装置向けの地上波デジタルテレビ放送、地上波デジタルラジオ放送と共に、電子番組表（ＥＰＧ）などの番組情報も含めて受信可能となっている。この放送受信部１６は、放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００２９】
表示部１７は、高精細液晶あるいは有機ＥＬなどを使用し、例えば、文字情報、待受画像、テレビ映像などを表示させる。操作部１８は、ダイヤル入力、文字入力、コマンド入力などを入力するもので、中央制御部１１は、この操作部１８からの入力操作信号に応じた処理を実行する。ＲＴＣ（リアルタイムクロックモジュール）１９は、時計部を構成するもので、中央制御部１１は、ＲＴＣ１９から現在日時を取得する。報知部２０は、サウンドスピーカ２１、ＬＥＤ（発光ダイオード）２２、振動モータ２３を備え、着信時に駆動されて着信報知を行うほか、アラーム報知時などでも駆動される。サウンドスピーカ２１は、音楽コンテンツなどを再生出力したり、テレビ放送やラジオ放送などを再生出力したりする。
【００３０】
接続部２４は、外部装置として、例えば、メモリカード７ａ、イヤホン７ｂ、外部モニタ・スピーカ７ｃ、ＰＣ７ｄが接続されるメモリスロットやコネクタ（共用接続端子）で、例えば、ＵＳＢ（Ｕｎｉｖｅｒｓａｌ Ｓｅｒｉａｌ Ｂｕｓ）端子によって構成されている。また、接続検出部２５は、接続部２４に外部装置が接続されたか、その接続が外されたかを検出するもので、例えば、電気的又は機械的なマイクロスイッチや光センサなどによって構成され、その接続検出信号は中央制御部１１に与えられる。中央制御部１１は、接続検出部２５からの検出信号に基づいて接続部２４に外部装置が接続されたか否かを判別する。この接続部２４は、不使用時にゴミの侵入や防水などを図るために蓋部（スロットカバー、コネクタカバー）２６によって覆われている。開閉検出部２７は、蓋部２６の開閉を検出するもので、例えば、電気的又は機械的なマイクロスイッチや光センサなどによって構成され、その開閉検出信号は中央制御部１１に与えられる。中央制御部１１は、開閉検出部２７からの検出信号に基づいて蓋部２６が開かれたか否かを判別する。
【００３１】
図３は、携帯電話機１の外観図である。
携帯電話機１は、その装置本体（端末本体）を構成する操作部筐体１Ａと表示部筐体１Ｂとがヒンジ部１Ｃを介して折り畳み自在に連結されている折り畳み型の電話機で、図３は、操作部筐体１Ａと表示部筐体１Ｂとの折り畳みを開いた状態のオープンスタイルを示している。この操作部筐体１Ａの内面側には、図２に示した操作部１８が配置され、また、表示部筐体１Ｂの内面側には、図２に示した表示部１７が配置されている。操作部筐体１Ａの側面部には、接続部２４を覆う蓋部２６が配置されている。
【００３２】
図４は、蓋部２６付き接続部２４の模式図である。
操作部筐体１Ａの側面部には、接続部２４を収納するための凹部１Ｄが形成されている。この凹部１Ｄは、一端部を固定した蓋部２６によって開閉されるもので、この接続部２４の不使用時に、蓋部２６によって凹部１Ｄが閉じられると、凹部１Ｄ内に収納されている接続部２４は、蓋部２６で覆われて密閉状態となる。なお、蓋部２６は、端末本体の外側に開く構造となっている。
【００３３】
図５は、機能情報記憶部Ｍ３を説明するための図である。
機能情報記憶部Ｍ３は、接続部２４に応じた機能、つまり、接続部２４に外部装置が接続されたときに、この外部装置を利用する機能として、その機能を示す機能識別情報（機能名）を記憶するもので、図示の例は、その機能名として、“音楽再生機能”、“動画再生機能”、“テレビ機能”、“ラジオ機能”を記憶した場合を示し、その内容はユーザ操作によって任意に設定されたものである。
【００３４】
図６は、外部装置を接続するためにその接続部２４を覆う蓋部２６が開かれた際に、その外部装置を利用する機能を報知するメニュー画面を例示した図である。
すなわち、中央制御部１１は、接続部２４を覆う蓋部２６が開かれた際に、機能情報記憶部Ｍ３に設定されている各機能名を読み出して一覧表示することで、その接続部２４に応じた機能として、“音楽再生機能”、“動画再生機能”、“テレビ機能”、“ラジオ機能”を報知する。
【００３５】
このメニュー画面（報知画面）において、機能名を太枠で囲むことによって強調表示（識別表示）されている機能名は、報知されている複数の機能の中からユーザ操作によって任意に選択されることによって特定された機能である。なお、メニュー画面の初期表示時には、その先頭に表示されている機能名又は前回使用されていた機能の機能名を太枠で強調表示するようにしている。なお、図示の例は、複数の機能の中からユーザ操作によって選択された機能（特定された機能）が“動画再生機能”であることを示している。このメニュー画面内には、選択機能の起動を指示する起動キーＳＫ、機能の終了を指示する終了キーＥＫが設けられている。
【００３６】
次に、この第１実施形態における携帯電話機１の動作概念を図７及び図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００３７】
図７は、携帯電話機１の全体動作の概要を示したフローチャートである。
先ず、中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。そして、何らかの操作が行われたことが検出されたり（ステップＡ３、Ａ９、Ａ１１）、開閉検出部２７によって蓋部２６が開かれたことが検出されたり（ステップＡ５）、無線通信部１４によって着信が検出されたりするまで（ステップＡ７）、上述のステップＡ３に戻る。
【００３８】
ここで、設定操作が行われものとすると（ステップＡ３でＹＥＳ）、例えば、機能情報記憶部Ｍ３に各種の機能情報を設定するなどの設定処理を実行したのち（ステップＡ４）、上述のステップＡ３に戻る。また、開閉検出部２７によって蓋部２６が開かれたことが検出されると（ステップＡ５でＹＥＳ）、後述する機能処理を実行したのち（ステップＡ６）、上述のステップＡ３に戻る。また、着信が検出されると（ステップＡ７でＹＥＳ）、通話可能状態とすると共に、通話履歴を記憶したり、通話に関する情報を表示したりする通話処理を実行したのち（ステップＡ８）、上述のステップＡ３に戻る。また、電源オフ操作が行われたときには（ステップＡ９でＹＥＳ）、電源オフ処理を実行して（ステップＡ１０）、この図７のフローの終了となるが、その他の操作が行われたときには（ステップＡ１１でＹＥＳ）、その操作に応じた処理として、例えば、通話発信処理、メール発信処理などを実行したのち（ステップＡ１２）、上述のステップＡ３に戻る。
【００３９】
図８は、外部装置を接続するためにその接続部２４を覆う蓋部２６が開かれた際に実行開始される機能処理（図７のステップＡ６）を詳述するためのフローチャートである。
先ず、中央制御部１１は、接続部２４の蓋部２６が開かれた際に、機能情報記憶部Ｍ３から各機能情報（機能名）を読み出し（ステップＢ１）、それらの一覧をメニュー表示させることで、その接続部２４に応じた各機能として、例えば、“音楽再生機能”、“動画再生機能”、“テレビ機能”、“ラジオ機能”を報知する（ステップＢ２）。ここで、メニュー画面（報知画面）によって報知されている複数の機能名の中からユーザ操作によって任意の機能名が選択されると（ステップＢ３）、この選択機能を起動対象として特定し、この機能名を太枠で識別表示させる（ステップＢ４）。なお、機能情報記憶部Ｍ３に設定されている機能が一つであれば、その機能名が太枠で識別表示される。
【００４０】
このように接続部２４に応じた機能が報知されている状態において、外部装置が接続部２４に接続されたことが接続検出部２５によって検出されたかを調べたり（ステップＢ５）、選択機能の起動を指示する起動キーＳＫが操作されたかを調べたり（ステップＢ７）、この接続部２４の蓋部２６が閉じられたことが開閉検出部２７によって検出されたかを調べたりする（ステップＢ８）。いま、メニュー画面（報知画面）が表示されている状態において、蓋部２６が閉じられたことが検出されると（ステップＢ８でＹＥＳ）、その報知を停止させるために、上述のメニュー画面を消去してメニュー表示を終了させたのち（ステップＢ９）、図８のフローの終了となる。
【００４１】
また、起動操作が行われたときには（ステップＢ７でＹＥＳ）、その選択機能を起動させる（ステップＢ６）。また、外部装置が接続されたことが検出されると（ステップＢ５でＹＥＳ）、起動操作が行われなくても、その選択機能を起動させる（ステップＢ６）。ここで、例えば、図６に示すように、報知されている複数の機能の中からユーザ操作によって選択された機能（特定された機能）が“動画再生機能”であれば、その初期設定処理として、再生対象の読み出し、前回再生停止位置読み出し、音量設定値読み出しなどを行い、また、選択された機能が“音楽再生機能”であれば、その初期設定処理として、各曲のタイトル読み出し、曲リスト作成、前回再生停止位置読み出しなどを行い、また、選択された機能が“テレビ機能”であれば、前回指定のチャンネルのテレビ放送受信を開始し、映像表示、音声出力などを行う。
【００４２】
このように選択機能が起動している状態において、各種操作として、例えば、音量調整操作、早送り操作、テレビチャンネルやラジオ周波数の切り替え操作などが行われたときには（ステップＢ１０でＹＥＳ）、その操作に応じた動作処理として、音量調整、早送り、チャンネル／周波数切り替え処理などを行う（ステップＢ１１）。また、外部装置の接続が外れたことが接続検出部２５によって検出されたり（ステップＢ１２でＹＥＳ）、機能の終了を指示する終了キーＥＫが操作されたりしたときには（ステップＢ１３でＹＥＳ）、機能終了処理を実行したのち（ステップＢ１４）、図８のフローの終了となる。
【００４３】
以上のように、この第１実施形態において中央制御部１１は、外部装置を接続するための接続部２４を覆う蓋部２６が開かれた際に、その外部装置を利用する機能に関する制御として、その接続部２４に応じた機能を示す機能識別情報（機能名）を報知するようにしたので、ユーザにあっては実際に外部装置を接続しなくても、それよりも早いタイミングで、どのような機能が利用可能であるかを知ることができ、利便性を大幅に向上させることができる。
【００４４】
外部装置が接続部２４に接続された場合に、報知された機能を起動するようにしたので、ユーザは起動操作を行わなくても外部装置を接続するだけでその機能を起動させることができる。
【００４５】
外部装置が接続部２４に接続された場合に、報知された複数の機能の中から特定された何れかの機能を起動するようにしたので、複数の機能が報知されている場合でも、その何れかの機能を起動することができる。
【００４６】
複数の機能が報知されている場合に、ユーザ操作によって特定された機能を起動するようにしたので、複数の機能の中からユーザが所望する機能を起動することができる。
【００４７】
機能の起動後、外部装置の接続が外された際に、その機能を終了するようにしたので、ユーザは終了操作を行わなくても外部装置の接続を外すだけで機能を終了させることができる。
【００４８】
機能が報知されている状態で、蓋部２６が閉じられたことが検出された場合には機能の報知を停止するようにしたので、ユーザは報知停止操作をしなくても蓋部２６を閉じるだけで機能の報知を停止させることができる。
【００４９】
なお、上述した第１実施形態においては、機能情報記憶部Ｍ３に設定する機能は任意で有り、例えば、データ通信機能、動画出力機能などを設定するようにしてもよい。また、上述した第１実施形態においては、ユーザ操作で任意の機能識別情報を機能情報記憶部Ｍ３に設定可能としたが、予め機能識別情報が固定的に設定されている場合であってもよい。
また、上述した第１実施形態においては、機能識別情報として機能名を報知するようにしたが、機能アイコンなどを報知するようにしてもよく、また、機能の報知は、表示に限らず、音声出力で報知するようにしてもよい（以下、後述する第２・第３実施形態においても同様）。
【００５０】
（実施形態２）。
以下、この発明の第２実施形態について図９〜図１１を参照して説明する。
なお、上述した第１実施形態においては、蓋部２６が開かれたことが検出された場合に、その蓋部２６が覆っていた接続部２４に応じた機能を報知するようにしたが、この第２実施形態においては、更に、一つの接続部２４に複数の外部装置を接続可能とし、この何れかの外部装置が当該接続部２４に接続された際に、この外部装置の種類を判別し、この外部装置の種類に応じて複数の機能の中から特定した機能を起動するようにしたものである。ここで、両実施形態において基本的あるいは名称的に同一のものは、同一符号を付して示し、その説明を省略すると共に、以下、第２実施形態の特徴部分を中心に説明するものとする。
【００５１】
図９は、第２実施形態における蓋部２６付き接続部２４の模式図である。
この第２実施形態における蓋部２６付き接続部２４は、イヤホン７ｂと映像・音声出力ケーブル７ｅとを接続可能な共用の接続部で、操作部筐体１Ａの側面部に形成された凹部１Ｄ内に収納され、その不使用時には、端末本体の外側に開く構造の蓋部２６によって覆われている。この接続部２４に外部装置が接続されると、接続検出部２５は、イヤホン７ｂが接続されたのか、映像・音声出力ケーブル７ｅが接続されたのかを、例えば、接続ピンの位置や接続ピン数、電気的抵抗値、外部装置との識別信号の送受信などに応じて検出し、その検出結果に応じて中央制御部１１は、共用の接続部２４に接続された外部装置の種類を判別するようにしている。
【００５２】
図１０は、第２実施形態における機能情報記憶部Ｍ３を説明するための図である。
機能情報記憶部Ｍ３は、共用の接続部２４に接続される複数の外部装置に対応付けて、その外部装置を利用する機能を示す機能名を記憶するもので、「外部装置の種類」、「機能名」の項目を有している。図示の例は、「外部装置の種類」の“イヤホン”に対応する「機能名」として、“音楽再生機能”を記憶し、“映像・音声出力ケーブル”に対応する「機能名」として、“動画出力機能”を記憶した場合を示し、その内容はユーザ操作によって任意に設定されたものである。なお、動画出力機能は、記録されている動画を映像・音声ケーブル７ｅから外部モニタや外部スピーカに出力させる機能で、動画の選択、再生、停止、早送り、巻き戻しなどの操作は、携帯電話機１側で行うようにしている。
【００５３】
図１１は、第２実施形態において、外部装置を接続するためにその接続部２４を覆う蓋部２６が開かれた際に実行開始される機能処理（図７のステップＡ６）を詳述するためのフローチャートである。
先ず、中央制御部１１は、接続部２４の蓋部２６が開かれた際に、機能情報記憶部Ｍ３から機能名を読み出し（ステップＣ１）、それらの一覧をメニュー表示させることで、その接続部２４に応じた各機能として、例えば、“音楽再生機能”、“動画出力機能”を報知する（ステップＣ２）。この状態において、外部装置が接続部２４に接続されたことが接続検出部２５によって検出されたかを調べたり（ステップＣ３）、接続部２４の蓋部２６が閉じられたことが開閉検出部２７によって検出されたかを調べたりする（ステップＣ５）。
【００５４】
いま、メニュー画面（報知画面）が表示されている状態で蓋部２６が閉じられたことが検出されると（ステップＣ５でＹＥＳ）、その報知を停止させるために、上述のメニュー画面を消去してメニュー表示を終了させたのち（ステップＣ６）、図１１のフローの終了となる。また、外部装置が共用の接続部２４に接続されたことが検出されると（ステップＣ３でＹＥＳ）、接続検出部２５からの検出結果に応じて共用の接続部２４に接続された外部装置の種類を判別する（ステップＣ４）。ここで、外部装置の種類を判別した結果、イヤホン７ｂが接続されたときには（ステップＣ７でＹＥＳ）、機能情報記憶部Ｍ３を参照し、それに対応する「機能名」として“音楽再生機能”を読み出してその機能を特定して起動させる（ステップＣ８）。また、映像・音声出力ケーブル７ｅが接続されたときには（ステップＣ９でＹＥＳ）、それに対応する「機能名」として“動画出力機能”を読み出してその機能をと指定して起動させる（ステップＣ１０）。その後、図８のステップＢ１０に移り、以下、第１実施形態と同様、外部装置の接続が外れた際には（ステップＢ１２）、その機能を終了させる（ステップＢ１４）。
【００５５】
以上のように、この第２実施形態においては、複数の機能が報知された場合に、接続部２４に接続された外部装置の種類によって特定された機能を起動するようにしたので、複数の機能の中から外部装置の種類に適した機能を起動することができる。また、第１実施形態と同様に、機能の起動後、外部装置の接続が外された際に、その機能を終了するようにしたので、ユーザは終了操作を行わなくても外部装置の接続を外すだけで機能を終了させることができる。
【００５６】
なお、上述した第２実施形態においては、機能情報記憶部Ｍ３に設定する外部装置の種類や機能は任意で有り、例えば、データ通信ケーブルとデータ通信機能などを設定するようにしてもよい。また、上述した第１実施形態の場合と同様、ユーザ操作で任意の機能識別情報を設定可能する場合に限らず、予め機能識別情報が固定的に設定されている場合であってもよい。
【００５７】
（実施形態３）。
以下、この発明の第３実施形態について図１２〜図１４を参照して説明する。
なお、上述した第１実施形態においては、一つの接続部２４を一つの蓋部２６で覆うようにしたが、この第２実施形態においては、複数の接続部２４を一つの蓋部２６で覆うようにするほか、この複数の接続部２４のうち、どの接続部２４に外部装置が接続されたかを判別し、この外部装置が接続された接続部２４に応じて複数の機能の中から特定した機能を起動するようにしたものである。ここで、第１・第３実施形態において基本的あるいは名称的に同一のものは、同一符号を付して示し、その説明を省略すると共に、以下、第３実施形態の特徴部分を中心に説明するものとする。
【００５８】
図１２は、第３実施形態における蓋部２６付き接続部２４の模式図である。
この第３実施形態においては、複数の接続部２４を一つの蓋部２６で覆うようにしたもので、映像・音声出力ケーブル７ｅが接続される接続部２４とデータ通信ケーブル７ｆが接続される接続部２４とは、操作部筐体１Ａの側面部に形成された一つの凹部１Ｄ内に収納され、その不使用時には、端末本体の外側に開く構造の蓋部２６によって覆われている。この複数の接続部２４に１対１に対応して接続検出部２５が設けられており、中央制御部１１は、各接続検出部２５からの検出結果に応じてどの接続部２４に外部装置が接続されたかを判別するようにしている。
【００５９】
図１３は、第３実施形態における機能情報記憶部Ｍ３を説明するための図である。
機能情報記憶部Ｍ３は、蓋部２６で覆われている複数の接続部２４に対応付けて、それに接続される外部装置を利用する機能を示す機能名を記憶するもので、「接続部」、「機能名」の項目を有している。図示の例は、「接続部」の“データ通信ケーブル用の接続部”に対応する「機能名」として、“データ通信機能”を記憶し、“映像・音声出力ケーブル用の接続部”に対応する「機能名」として、“動画出力機能”を記憶した場合を示し、その内容はユーザ操作によって任意に設定されたものである。
【００６０】
図１４は、第３実施形態において、外部装置を接続するためにその接続部２４を覆う蓋部２６が開かれた際に実行開始される機能処理（図７のステップＡ６）を詳述するためのフローチャートである。
先ず、央制御部１１は、接続部２４の蓋部２６が開かれた際に、機能情報記憶部Ｍ３から機能名を読み出し（ステップＤ１）、それらの一覧をメニュー表示させることで、その接続部２４に応じた各機能として、例えば、“データ通信機能”、“動画出力機能”を報知する（ステップＤ２）。ここで、外部装置が接続部２４に接続されたことが接続検出部２５によって検出されたかを調べたり（ステップＤ３）、接続部２４の蓋部２６が閉じられたことが開閉検出部２７によって検出されたかを調べたりする（ステップＤ５）。
【００６１】
いま、メニュー画面（報知画面）が表示されている状態において、蓋部２６が閉じられたことが検出されると（ステップＤ５でＹＥＳ）、その報知を停止させるために、上述のメニュー画面を消去してメニュー表示を終了させたのち（ステップＤ６）、図１４のフローの終了となる。また、外部装置が接続されたことが検出されると（ステップＤ３でＹＥＳ）、接続検出部２５からの検出結果に応じて外部装置が接続された接続部２４はどれかを判別する（ステップＤ４）。
【００６２】
その結果、データ通信ケーブル用の接続部２４に外部装置が接続されたときには（ステップＤ７でＹＥＳ）、機能情報記憶部Ｍ３を参照し、それに対応する「機能名」の“データ通信機能”を読み出してその機能を起動させ（ステップＤ８）、また、映像・音声出力ケーブル用の接続部２４に外部装置が接続されたときには（ステップＤ９でＹＥＳ）、それに対応する「機能名」の“動画出力機能”を読み出してその機能を起動させる（ステップＤ１０）。その後、図８のステップＢ１０に移り、以下、第１実施形態と同様、外部装置の接続が外れた際には（ステップＢ１２）、その機能を終了させる（ステップＢ１４）。
【００６３】
以上のように、この第３実施形態においては、複数の機能が報知された場合に、一つの蓋部２６で覆われている複数の接続部２４のうち、どの接続部２４に外部装置が接続されたかによって特定された機能を起動するようにしたので、複数の機能の中から接続部２４に適した機能を起動することができる。また、第１実施形態と同様に、機能の起動後、外部装置の接続が外された際に、その機能を終了するようにしたので、ユーザは終了操作を行わなくても外部装置の接続を外すだけで機能を終了させることができる。
【００６４】
なお、上述した第３実施形態においては、機能情報記憶部Ｍ３に設定する接続部や機能は任意で有り、例えば、映像・音声出力ケーブル用の接続部とテレビ機能などを設定するようにしてもよい。また、上述した第１実施形態の場合と同様、ユーザ操作で任意の機能識別情報を設定可能する場合に限らず、予め機能識別情報が固定的に設定されている場合であってもよい。
【００６５】
（実施形態４）。
以下、この発明の第４実施形態について図１５及び図１６を参照して説明する。
なお、上述した第１実施形態においては、蓋部２６が開かれた場合に、その蓋部２６が覆っていた接続部２４に応じた機能を報知するようにしたが、この第４実施形態においては、蓋部２６が開かれた場合に、その蓋部２６が覆っていた接続部２４に応じた機能を起動するようにしたものである。ここで、第１・第４実施形態において基本的あるいは名称的に同一のものは、同一符号を付して示し、その説明を省略すると共に、以下、第４実施形態の特徴部分を中心に説明するものとする。
【００６６】
図１５は、第４実施形態における機能情報記憶部Ｍ３を説明するための図である。
機能情報記憶部Ｍ３は、第１実施形態と同様、接続部２４に応じた機能を示す機能名を記憶するもので、図示の例は、その機能名として、単一の“音楽再生機能（コンテンツ再生機能）”を記憶した場合を示し、その内容はユーザ操作によって任意に設定されたものである。なお、第４実施形態における蓋部２６付きの接続部２４も上述した第１実施形態と同様の構成となっている。
【００６７】
図１６は、第４実施形態において、外部装置を接続するためにその接続部２４を覆う蓋部２６が開かれた際に実行開始される機能処理（図７のステップＡ６）を詳述するためのフローチャートである。
先ず、中央制御部１１は、接続部２４の蓋部２６が開かれた際に、機能情報記憶部Ｍ３から機能名を読み出し（ステップＥ１）、この機能名で示される機能として、例えば、“音楽再生機能”を起動させる（ステップＥ２）。ここで、音楽再生機能”を起動させた場合には、その初期設定処理として、各曲のタイトル読み出し、曲リスト作成、前回再生停止位置読み出しなどが行われる。この状態において、外部装置が接続部２４に接続されたことが接続検出部２５によって検出されたかを調べたり（ステップＥ３）、起動された機能の動作開始を指示する動作開始操作が行われたかを調べたり（ステップＥ５）、その他の各種の操作が行われたかを調べたりする（ステップＥ６）。
【００６８】
また、外部装置の接続が外れたことが接続検出部２５によって検出されたかを調べたり（ステップＥ８）、動作停止を指示する動作停止操作が行われたかを調べたり（ステップＥ１０）、接続部２４の蓋部２６が閉じられたことが開閉検出部２７によって検出されたかを調べたりする（ステップＥ１１）。いま、起動された機能が音楽再生機能の場合に、曲リストの中から任意の曲を選曲する操作や音量調整操作などが行われると（ステップＥ６でＹＥＳ）、操作に応じた処理として、選曲処理、音量調整処理など、操作に応じた動作処理を行う（ステップＥ７）。また、動作開始操作が行われたときには（ステップＥ５でＹＥＳ）、次のステップＥ４に移って、起動された機能の動作を開始させる。例えば、起動された機能が音楽再生機能であれば、選曲された曲の再生動作を開始させる。
【００６９】
また、外部装置が接続部２４に接続されたことが検出されると（ステップＥ３でＹＥＳ）、動作開始操作が行われなくても、機能の動作を開始させる（ステップＥ４）。また、外部装置の接続が外れたり（ステップＥ８でＹＥＳ）、動作停止操作が行われたりしたときには（ステップＥ１０でＹＥＳ）、その動作を停止させる（ステップＥ９）。例えば、音楽再生機能が動作中であれば、音楽再生を停止させる。その後、上述のステップＥ３に戻るが、接続部２４の蓋部２６が閉じられたときには（ステップＥ１１でＹＥＳ）、動作中の機能（例えば、音楽再生機能）を終了させる機能終了処理を実行したのち（ステップＥ１２）、図１６のフローの終了となる。
【００７０】
以上のように、この第４実施形態においては、蓋部２６が開かれた際に、その蓋部２６が覆っていた接続部２４に応じた機能を起動するようにしたので、外部装置が接続された際に機能を起動したり、外部装置が接続されてユーザ操作によって起動が指示された際に機能を起動したりするよりも、機能起動時に実行される初期処理などによるユーザの待ち時間を短縮することができ、早いタイミングで、ユーザはその機能を利用開始することができる。
【００７１】
機能が起動されている状態で、接続部２４に外部装置が接続された場合に、その機能の動作を開始するようにしたので、ユーザは動作開始操作を行わなくても外部装置を接続するだけで機能の動作を開始させることができる。この場合、音楽再生機能（コンテンツ再生機能）が起動されている状態で、接続部２４に外部装置が接続された場合に、コンテンツの再生を開始するようにしたので、ユーザは、再生開始操作を行わなくても外部装置を接続するだけでコンテンツの再生を開始させることができる。
【００７２】
起動された機能が動作している状態で、外部装置の接続が外された場合に、機能の動作を停止するようにしたので、ユーザは動作停止操作をしなくても外部装置の接続を外すだけで機能の動作を停止させることができる。
【００７３】
機能が起動されたのち、蓋部２６が閉じられた場合に、起動された機能を終了するようにしたので、ユーザは終了操作をしなくても蓋部２６を閉じるだけで機能を終了させることができる。
【００７４】
なお、上述した第４実施形態においては、機能情報記憶部Ｍ３に設定する機能は任意で有り、例えば、データ通信機能などを設定するようにしてもよい。なお、データ通信機能の場合、図１６のステップＥ４では、データ通信を開始させ、ステップＥ９では、データ通信を停止させるようにすればよい。また、上述した第１実施形態の場合と同様、ユーザ操作で任意の機能識別情報を設定可能する場合に限らず、予め機能識別情報が固定的に設定されている場合であってもよい。
【００７５】
（実施形態５）
以下、この発明の第５実施形態について図１７〜図２０を参照して説明する。
なお、上述した第１実施形態の接続部２４は、外部装置としてのイヤホン７ｂ、外部モニタ・スピーカ７ｃなどが接続可能な共用の接続部２４を有し、その蓋部２６が開かれた場合に、その接続部２４に応じた機能を報知するようにしたが、この第５実施形態においては、メモリカード７ａ用などの専用の接続部２４を有するほか、蓋部２６が開かれた場合に、その蓋部２６が覆っていた接続部２４に応じた機能が単数か複数かを判別し、単数であれば、その機能を起動させ、複数であれば、それらの機能を報知するようにしたものである。ここで、第１・第５実施形態において基本的あるいは名称的に同一のものは、同一符号を付して示し、その説明を省略すると共に、以下、第５実施形態の特徴部分を中心に説明するものとする。
【００７６】
図１７は、第５実施形態における蓋部２６付き接続部２４の模式図である。
この第５実施形態においては、メモリカード７ａが接続される専用の接続部２４と、データ通信ケーブル７ｆが接続される専用の接続部２４とを有し、その不使用時には、端末本体の外側に開く構造の蓋部２６によって覆われている。なお、以下、メモリカード用の接続部２４を覆っている蓋部２６を“蓋部Ａ”と称し、データ通信ケーブル用の接続部２４を覆っている蓋部２６を“蓋部Ｂ”と称する場合がある。
図１８は、携帯電話機１の外観図で、操作部筐体１Ａの側面部に配置されている２種類の蓋部２６付き接続部２４を示し、蓋部Ａは、メモリカード用の接続部２４を覆っている蓋部２６を示し、蓋部Ｂは、データ通信ケーブル用の接続部２４を覆っている蓋部２６を示している。
【００７７】
図１９は、第５実施形態における機能情報記憶部Ｍ３を説明するための図である。
機能情報記憶部Ｍ３は、各蓋部２６に対応して、その蓋部２６が覆っている接続部２４とそれに接続される外部装置を利用する機能を示す機能名を記憶するもので、「蓋部」、「接続部」、「機能名」の項目を有している。図示の例は、「蓋部」、「接続部」の“蓋部Ａ”、
“メモリカード用の接続部”に対応する「機能名」として、“音楽再生機能”と“動画再生機能”を記憶し、「蓋部」、「接続部」の“蓋部Ｂ”、“データ通信ケーブル用の接続部”に対応する「機能名」として、“データ通信機能”を記憶した場合を示し、その内容はユーザ操作によって任意に設定されたものである。
【００７８】
図２０は、第５実施形態において、外部装置を接続するためにその接続部２４を覆う蓋部２６が開かれた際に実行開始される機能処理（図７のステップＡ６）を詳述するためのフローチャートである。
先ず、中央制御部１１は、接続部２４の蓋部２６が開かれた際に、開閉検出部２７の検出結果に応じて、どの蓋部２６が開かれたのかを判別する（ステップＦ１）。すなわち、メモリカード用の接続部２４を覆う蓋部Ａが開かれたのか、データ通信ケーブル用の接続部２４を覆う蓋部Ｂが開かれたのかを判別し、その判別結果に基づいて機能情報記憶部Ｍ３を検索し、その機能情報「機能名」を読み出し（ステップＦ２）、その蓋部２６が覆う接続部２４用の機能は単数であるかを調べる（ステップＦ３）。
【００７９】
いま、データ通信ケーブル用の接続部２４を覆う蓋部Ｂが開かれた場合、それに対応付けられている「機能名」は単数であるので（ステップＦ３でＹＥＳ）、この「機能名」が示す機能として、例えば、“データ通信機能”を起動させる（ステップＦ４）。一方、メモリカード用の接続部２４を覆う蓋部Ａが開かれた場合、それに対応付けられている「機能名」は複数であるので（ステップＦ３でＮＯ）、この「機能名」が示す機能として、例えば、“音楽再生機能”、“動画再生機能”を読み出し、それらの一覧をメニュー表示させることで、その接続部２４に応じた各機能として、例えば、“音楽再生機能”、“動画再生機能”を報知する（ステップＦ５）。ここで、メニュー画面（報知画面）によって報知されている複数の機能名の中からユーザ操作によって任意の機能名を選択してその起動が指示されると（ステップＦ６）、この機能を起動させる（ステップＦ４）。その後、図１６のステップＥ３に戻り、以下、上述の動作を行う（図１６のステップＥ３〜Ｅ１２）。
【００８０】
以上のように、この第５実施形態においては、蓋部２６が開かれた場合に、その蓋部２６が覆っていた接続部２４に応じた機能が単数であれば、その機能を起動するようにしたので、ユーザはその接続部２４に適した１つの機能を早いタイミングで利用開始することができる。
【００８１】
また、蓋部２６が開かれた場合に、その蓋部２６が覆っていた接続部２４に応じた機能が複数であれば、それら機能を報知するようにしたので、ユーザはその接続部２４に適した複数の機能を知ることができる。
【００８２】
また、上述した第１実施形態と同様に、外部装置の接続が外された場合に、機能の動作を停止するようにしたので、ユーザは動作停止操作をしなくても外部装置の接続を外すだけで機能の動作を停止させることができる。また、蓋部２６が閉じられた場合に、起動された機能を終了するようにしたので、ユーザは終了操作をしなくても蓋部２６を閉じるだけで機能を終了させることができる。
【００８３】
なお、上述した第５実施形態においては、メモリカード７ａが接続される専用の接続部２４と、データ通信ケーブル７ｆが接続される専用の接続部２４とを示したが、接続部２４の種類は、これに限らず任意である。また、機能情報記憶部Ｍ３に設定する機能も任意で有り、また、第１実施形態と同様に、ユーザ操作で任意の機能識別情報を設定可能する場合に限らず、予め機能識別情報が固定的に設定されている場合であってもよい。
【００８４】
また、上述した各実施形態においては、蓋部２６を端末本体の外側に開く構造としたが、これに限らず、例えば、内側に開く構造、スライドして開く構造など、任意の構造であってもよい。また、上述した各実施形態においては、蓋部２６を閉めることによって防水構造を図るようにしたが、防水性は必ずしも要件ではない。
【００８５】
また、外部装置としては、メモリカード７ａ、イヤホン７ｂ、外部モニタ・スピーカ７ｃ、ＰＣ７ｄ、映像・音声出力ケーブル７ｅ、データ通信ケーブル７ｆに限らず、他の携帯電話機など、任意の外部装置であってもよい。
その他、端末装置は携帯電話機に限らず、例えば、パーソナルコンピュータ、ＰＤＡ、デジタルカメラ、音楽プレイヤーなど、任意の端末装置であってもよい。
【図面の簡単な説明】
【００８６】
【図１】端末装置として適用した携帯電話機が利用可能な通信ネットワークシステムを示したブロック図。
【図２】携帯電話機１の基本的な構成要素を示したブロック図。
【図３】携帯電話機１の外観図。
【図４】蓋部２６付き接続部２４の模式図。
【図５】機能情報記憶部Ｍ３を説明するための図。
【図６】外部装置を接続するためにその接続部２４を覆う蓋部２６が開かれた際に、その外部装置を利用する機能を報知するメニュー画面を例示した図。
【図７】携帯電話機１の全体動作の概要を示したフローチャート。
【図８】外部装置を接続するためにその接続部２４を覆う蓋部２６が開かれた際に実行開始される機能処理（図７のステップＡ６）を詳述するためのフローチャート。
【図９】第２実施形態における蓋部２６付き接続部２４の模式図。
【図１０】第２実施形態における機能情報記憶部Ｍ３を説明するための図。
【図１１】第２実施形態において、外部装置を接続するためにその接続部２４を覆う蓋部２６が開かれた際に実行開始される機能処理（図７のステップＡ６）を詳述するためのフローチャート。
【図１２】第３実施形態における蓋部２６付き接続部２４の模式図。
【図１３】第３実施形態における機能情報記憶部Ｍ３を説明するための図。
【図１４】第３実施形態において、外部装置を接続するためにその接続部２４を覆う蓋部２６が開かれた際に実行開始される機能処理（図７のステップＡ６）を詳述するためのフローチャート。
【図１５】第４実施形態における機能情報記憶部Ｍ３を説明するための図。
【図１６】第４実施形態において、外部装置を接続するためにその接続部２４を覆う蓋部２６が開かれた際に実行開始される機能処理（図７のステップＡ６）を詳述するためのフローチャート。
【図１７】第５実施形態における蓋部２６付き接続部２４の模式図。
【図１８】第５実施形態における携帯電話機１の外観図で、操作部筐体１Ａの側面部に配置されている２種類の蓋部２６付き接続部２４を示した図。
【図１９】第５実施形態における機能情報記憶部Ｍ３を説明するための図。
【図２０】第５実施形態において、外部装置を接続するためにその接続部２４を覆う蓋部２６が開かれた際に実行開始される機能処理（図７のステップＡ６）を詳述するためのフローチャート。
【符号の説明】
【００８７】
１  携帯電話機
２  無線通信網
３  インターネット
４  コンテンツ提供装置
５  テレビ局・ラジオ局
７ａ  メモリカード
７ｂ  イヤホン
７ｃ  外部モニタ・スピーカ
７ｄ  パーソナルコンピュータ（ＰＣ）
７ｅ  映像・音声ケーブル
７ｆ  データ通信ケーブル
１１  中央制御部
１３  記憶部
１４  無線通信部
１６  放送受信部
１７  表示部
１８  操作部
２５  接続部
２６  接続検出部
２７  蓋部
２８  開閉検出部
Ｍ１  プログラム記憶部
Ｍ３  機能情報記憶部
【図１】
2010093496.tif 000003
【図２】
2010093496.tif 000004
【図３】
2010093496.tif 000005
【図４】
2010093496.tif 000006
【図５】
2010093496.tif 000007
【図６】
2010093496.tif 000008
【図７】
2010093496.tif 000009
【図８】
2010093496.tif 000010
【図９】
2010093496.tif 000011
【図１０】
2010093496.tif 000012
【図１１】
2010093496.tif 000013
【図１２】
2010093496.tif 000014
【図１３】
2010093496.tif 000015
【図１４】
2010093496.tif 000016
【図１５】
2010093496.tif 000017
【図１６】
2010093496.tif 000018
【図１７】
2010093496.tif 000019
【図１８】
2010093496.tif 000020
【図１９】
2010093496.tif 000021
【図２０】
2010093496.tif 000022